【手続補正書】
【提出日】平成17年6月15日(2005.6.15)
【手続補正１】
【補正対象書類名】特許請求の範囲
【補正対象項目名】全文
【補正方法】変更
【補正の内容】
【特許請求の範囲】
【請求項１】
1つまたは複数の陽極リザーバと、
陽極リザーバに連結され、各々が、側壁に囲まれた内側を有する複数の分離管路と、
1つの分離管路の側壁に形成され、分離管路の内側に達し、分離管路の内側に配置された分離媒体によって流体界面ポートに仮想壁が形成される、1つまたは複数の流体界面ポートと、
2つまたはそれ以上の分離管路と組み合わされた少なくとも1つの陰極リザーバとを含む分離装置。
【請求項２】
リザーバおよび流体界面ポートに結合できる電極アレイをさらに含む、請求項1記載の装置。
【請求項３】
装置が、外周および中心を有し、分離管路が外周を中心に連結している、請求項1記載の装置。
【請求項４】
流体界面ポートが、約1ナノリットルよりも少ないデッドボリュームを有する、請求項1記載の装置。
【請求項５】
流体界面ポートが、零デッドボリュームを有する、請求項1記載の装置。
【請求項６】
流体界面ポートが、仮想壁を形成する開口のアレイを含む、請求項1記載の装置。
【請求項７】
流体界面ポートが、約25μmから約125μmの間の直径を有する、請求項1記載の装置。
【請求項８】
装置が毛管アレイ電気泳動プレートである、請求項1記載の分離装置。
【請求項９】
装置が電気クロマトグラフィーシステムである、請求項1記載の分離装置。
【請求項１０】
装置が、圧力駆動クロマトグラフィーシステムを含む、請求項1記載の分離装置。
【請求項１１】
装置が、等電子集束システムを含む、請求項1記載の分離装置。
【請求項１２】
第1の微細化基板の表面および第1の基板の表面に結合された第2の基板の対応する表面に形成され、各々が、側壁、第1の端部、および第2の端部に囲まれた内側を有する、微細化分離管路のアレイと、
分離管路の側壁に形成され、各分離管路の内側に達し、分離管路の内側に配置された分離媒体によって、アレイ内の各流体界面ポートに仮想壁が形成される流体界面ポートのアレイと、
各分離管路の第1の端部に連結された陰極リザーバのアレイと、
少なくとも1つの陽極リザーバが、少なくとも2つの分離管路のそれぞれの第2の端部に連結された陽極リザーバのアレイとを含む分離装置。
【請求項１３】
流体界面ポートが、約25μmから約125μmの間の直径を有する、請求項12記載の分離装置。  
【請求項１４】
第1および第2の基板がガラスで作られている、請求項12記載の分離装置。
【請求項１５】
第1および第2の基板がプラスチックで作られている、請求項12記載の分離装置。
【請求項１６】
リザーバ・アレイ層に結合できる電極アレイをさらに含む、請求項12記載の分離装置。
【請求項１７】
電極アレイが2つの基板と一体である、請求項16記載の分離装置。
【請求項１８】
流体界面ポートが、基板の一方上に規則的な間隔を置いて配置され、並列充填装置から溶液を受け入れる、請求項17記載の分離装置。
【請求項１９】
第1の基板が、流体界面ポート、陰極リザーバ、および陽極リザーバと組み合わされた複数の溶液に電気的に接触するように流体界面ポート、陰極リザーバ、および陽極リザーバに揃えられた電極のアレイを含む、請求項12記載の分離装置。
【請求項２０】
分離装置がH個の穴を有し、Hが、分離装置において同時に処理すべき試料の数に概ね等しい、請求項12記載の分離装置。
【請求項２１】
分離装置が、ガラスとプラスチックの組合せで作られている、請求項12記載の分離装置。
【請求項２２】
分離装置に電気的に接触する電極アレイをさらに含む、請求項12記載の分離装置。
【請求項２３】
1つの分離管路内に複数の流体界面ポートが配置されている、請求項12記載の分離装置。
【請求項２４】
第1の基板が、流体界面ポート内の複数の溶液に電気的に接触するように流体界面ポートに揃えられた電極のアレイを含む、請求項12記載の分離装置。
【請求項２５】
装置が毛管アレイ電気泳動プレートである、請求項12記載の分離装置。
【請求項２６】
装置が電気クロマトグラフィーシステムである、請求項12記載の分離装置。
【請求項２７】
装置が、圧力駆動クロマトグラフィーシステムを含む、請求項12記載の分離装置。
【請求項２８】
装置が、等電子集束システムを含む、請求項12記載の分離装置。
【請求項２９】
基板と、
基板に形成され、各々が側壁に囲まれた内側を有する複数の分離管路と、
分離管路の側壁に形成され、分離管路の内側に達し、分離管路の内側に配置された分離媒体によって流体界面ポートに仮想壁が形成され、複数の分離管路の各分離管路が少なくとも1つの専用流体界面ポートを含む複数の流体界面ポートと、
複数の分離管路のうちの2つまたはそれ以上と組み合わされた陽極リザーバとを含む分離装置。
【請求項３０】
流体界面ポートが、約25μmから約125μmの間の直径を有する、請求項29記載の分離装置。
【請求項３１】
基板と、
基板に形成され、各々が側壁に囲まれた内側を有する複数の分離管路と、
分離管路の側壁に形成され、分離管路の内側に達し、分離管路の内側に配置された分離媒体によって流体界面ポートに仮想壁が形成され、複数の分離管路の各分離管路が少なくとも1つの専用流体界面ポートを含む複数の流体界面ポートと、
複数の分離管路のうちの2つまたはそれ以上と組み合わされた陰極リザーバとを含む分離装置。
【請求項３２】
流体界面ポートが、約25μmから約125μmの間の直径を有する、請求項31記載の分離装置。
【請求項３３】
基板に結合された電極のアレイをさらに含む、請求項31記載の装置。
【請求項３４】
複数の流体界面ポートが、基板に規則的な間隔を置いて配置され、並列充填装置に係合するようになっている、請求項31記載の装置。
【請求項３５】
並列充填装置がマルチヘッド・ピペッタを含む、請求項34記載の装置。
【請求項３６】
並列充填装置が、液体試料の液滴を保持し、仮想壁に接触することによって流体界面ポートに液体試料の液滴を導入するピンを含む、請求項35記載の分離装置。
【請求項３７】
分離管路が、分離装置上に放射状パターンを描いて配置されている、請求項31記載の分離装置。
【請求項３８】
液体試料を分離装置に注入する方法であって、
陰極リザーバを2つまたはそれ以上の分離管路のそれぞれの第1の端部に連結する段階と、
陽極リザーバを2つまたはそれ以上の分離管路のそれぞれの第2の端部に連結する段階と、
液体試料から液滴を形成する段階と、
分離管路の側壁に形成された流体界面ポート内の分離媒体によって形成される仮想壁に液滴を送る段階と、
流体界面ポートに電圧を印加して試料を分離管路に引き込む段階とを含む方法。
【請求項３９】
試料を異なる成分に分離する分離装置を形成する方法であって、
各分離管路が側壁に囲まれた内側によって形成される複数の分離管路を、複数の分離装置内に形成する段階と、
各流体界面ポートが、分離管路に分離媒体が満たされた場合に仮想壁を形成する複数の流体界面ポートを、前記分離管路の側壁に形成して、各分離管路の内側に達する段階と、
陽極リザーバを複数の分離管路のうちの2つまたはそれ以上に連結する段階とを含む方法。
【請求項４０】
複数の流体界面ポートを形成する段階が、側壁の一部を除去し、約25μmから約125μmの間の直径を有する開口を形成する段階を含む、請求項39記載の方法。
【請求項４１】
分離管路が、分離装置上に放射状パターンを描いて配置されている、請求項39記載の方法。
【請求項４２】
試料をそれぞれの異なる成分に分離する分離装置を形成する方法であって、
各分離管路が側壁に囲まれた内側によって形成される複数の分離管路を、分離装置内に形成する段階と、
各流体界面ポートが、分離管路に分離媒体が満たされた場合に仮想壁を形成する複数の流体界面ポートを、分離管路の側壁に形成して、各分離管路の内側に達する段階と、
陰極リザーバを複数の分離管路のうちの2つまたはそれ以上に連結する段階とを含む方法。
【請求項４３】
複数の流体界面ポートを形成する段階が、側壁の一部を除去し、約25μmから約125μmの間の直径を有する開口を形成する段階を含む、請求項42記載の方法。
【請求項４４】
分離管路が、分離装置上に放射状パターンを描いて配置されている、請求項42記載の方法。